(57)【特許請求の範囲】
【請求項１】
輪転印刷機の版胴から取り外された版板を引き取り、保持するための装置であって、引き取り・保持装置（２）が各版胴（４）の印刷装置塔（１）に配置されており、版板（３）のための受け止め部材（８）を有している形式のものにおいて、
版板（３）の前縁部若しくは後縁部を受け止め部材（８）に固定するためのロック部材（１６）が設けられており、該ロック部材（１６）が前記受け止め部材（８）と協働しており、
受け止め部材（８）が、印刷装置塔に旋回可能に支承された操作レバー（１１）を調節手段として有しており、
ロック部材（１６）が、操作レバー（１１）に旋回可能に支承された別の操作レバー（１３）を調節手段として有しており、
前記調節手段は、前記受け止め部材（８）と前記ロック部材（１６）とを、版板（３）を受け止めるための「受け止め位置」から版板（３）を版胴（４）から引き取り版胴（４）から遠ざけるための「保持位置」に移動させ、且つ「保持位置」から「受け止め位置」に移動させるための調節手段（１１，１３，１７，１８，１９，２１）であることを特徴とする、輪転印刷機の版胴から取り外された版板を引き取り、保持するための装置。
【請求項２】
前記調節手段（１１，１３，１７，１８，１９，２１）が、旋回可能に支承された作業シリンダ（２１）と、旋回可能に支承された調節レバー（１８）と、該調節レバー（１８）に配置された連結部材（１７）と、該連結部材（１７）に配置された操作レバー（１３）と、定置で旋回可能に配置された操作レバー（１１）とを有している、請求項１記載の装置。
【請求項３】
前記一方の操作レバー（１３）の自由端部が前記ロック部材（１６）を支持しており、他方の操作レバー（１１）が前記受け止め部材（８）を支持している、請求項１または２記載の装置。
【請求項４】
案内部材（２２，２３，２４，２５，２６，２７，２８，２９）が設けられており、これらの案内部材（２２，２３，２４，２５，２６，２７，２８，２９）が、版板（３）の前縁部若しくは後縁部を前記受け止め部材（８）に送る、請求項１から３までのいずれか１項記載の装置。
【請求項５】
前記受け止め部材（８）がフックである、請求項１から４までのいずれか１項記載の装置。
【請求項６】
前記ロック部材（１６）が、前記フック（８）の開口（９）のためのカバーである、請求項１から５までのいずれか１項記載の装置。
【発明の詳細な説明】
【０００１】
【発明の属する技術分野】
本発明は、輪転印刷機の版胴から取り外された版板を引き取り、保持するための装置に関する。
【０００２】
【従来の技術】
特開平３−９７５６３号公報により、印刷機の版胴から版板を除去するために版板の後縁部を吸い込みヘッドに固定することが公知である。吸い込みヘッドはロープに固定されている。このロープはばねによって付加された巻き取りローラによって巻き取られる。巻き取りローラは隣接した印刷装置ケーシングに固定されている。
【０００３】
特開平３−９７５６３号公報の場合には、版板引き取り装置は自動的には作業することができない。なぜならば、吸い込みヘッドをオペレータが装着しなければならないからである。
【０００４】
【発明が解決しようとする課題】
従って本発明の課題は、冒頭で述べた形式の装置を改良して、印刷機の版胴から取り外された版板を自動的に引き取り、保持するための装置を提供することである。
【０００５】
【課題を解決するための手段】
この課題を解決するために本発明の構成では、引き取り・保持装置が各版胴の印刷装置塔に配置されているようにした。
【０００６】
【発明の効果】
本発明の利点は、版板の取り外し及び保持を全自動で行うことができ、この際にオペレータが必要ないということにある。更に、別個の保持装置に新しい版板を準備しておくことができるので、古い版板を取り外して運び去るための時間を節約して、すぐに新しい版板の張設を開始することが可能である。これによって、版板の交換が全体的に迅速化される。
【０００７】
別の利点は、引き取り・保持装置が、各版胴が支承されているのと同じ印刷装置に配置されているので、取り外された版板が複数の印刷装置の間の範囲を遮断しないことにある。
【０００８】
本発明の有利な構成によれば、確保手段を備えた受け止めフックが設けられている。受け止めフックには取り外された版板が引っ掛かり、ずれが防止される。
【０００９】
複動式の作業シリンダが設けられていると有利である。この作業シリンダは、ロックを解除させて版板を版胴から離す方向で保持位置に搬送させる。
【００１０】
【発明の実施の形態】
以下に、本発明の実施の形態を図面につき詳しく説明する。
【００１１】
輪転印刷機の印刷装置塔１はその上方範囲に、版胴４から取り外されて版胴４の締め付け・張設装置６，７から解放された版板３のための引き取り・保持装置２を有している。各印刷装置塔１に少なくとも２つの引き取り・保持装置２が互いに平行に並んで配置されていると有利である。理解しやすくするために、本発明による装置を１つの装置形式のみについて説明する。
【００１２】
引き取り・保持装置２は版板を受け止めるためのフック８を有している。このフック８の開口９はほぼ上方を向いている。フック８の幅は、版板３の幅にほぼ相当している。フック８は、版板３のための「受け止め位置」において水平方向に配置される操作レバー１１の一方の自由端部に固定されている。フック８とは逆側の端部では、操作レバー１１は支承箇所１０で印刷装置塔１に旋回可能に支承されている。操作レバー１１は別の操作レバー１３のための支承ピン１２を有している。操作レバー１３は旋回可能に支承ピン１２に支承されている。自由端部においては、操作レバー１３はカバー１６を支持している。カバー１６はフック８の開口９に接触して、開口９を閉鎖することができる。操作レバー１３の、カバー１６とは逆側の端部は、旋回可能に連結部材１７に支承されている。連結部材１７の他方の端部は、旋回可能に調節レバー１８の端部に支承されている。調節レバー１８の他方の端部は、印刷装置塔１に旋回可能に支承されている。調節レバー１８のほぼ中央には、複動式の作業シリンダ２１のピストンロッド１９の端部が係合している。作業シリンダ２１は、旋回可能に印刷装置塔１に支承されている。
【００１３】
版胴４の締め付け・張設装置６，７から解放された版板３は、送りローラ２２，２３，２４，２５，２６，２７，２８，２９を介してフック８に送られて、版板後縁部が自動的にフック８に引っ掛かる。フック８はこのとき「受け止め位置」にある。フック８はこの位置に、作業シリンダ２１の第１の作業位置によってもたらされる。この作業位置では、ピストンロッド１９が引き出されて、操作レバー１３が操作レバー１１に対して旋回させられている。
【００１４】
作業シリンダ２１は、版板３をロックするためにピストンロッド１９から引き出されて「ロック位置」にもたらされる。この場合操作レバー１３が支承ピン１２を中心として旋回してカバー１６がフック８に当接し、操作レバー１３は操作レバー１１に整合する（図２参照）。版板端部は、このときフック８にロックされる。
【００１５】
版板３を版胴４から引き取り版胴４から遠ざけるためには、作業シリンダ２１が更に引き出されて「保持位置」に達する。この場合操作レバー１１と操作レバー１３とは共に支承箇所１０を中心として所定の角度α（例えばα＝７０゜）だけ上方に旋回する。これによって、版板３は完全に印刷装置塔１から引き出されて「保持位置」にもたらされる（図３参照）。この保持位置は、印刷装置塔１の範囲内で印刷装置塔１に対してほぼ平行かつ垂直である。
【図面の簡単な説明】
【図１】印刷装置塔に配置された本発明による装置を「版板受け止め位置」で示した側面図である。
【図２】本発明による装置を「版板ロック位置」で示した図である。
【図３】本発明による装置を「版板保持位置」で示した図である。
【符号の説明】
１  印刷装置塔、  ２  引き取り・保持装置、  ３  版板、  ４  版胴、  ６，７  締め付け・張設装置、  ８  フック、  ９  開口、  １０  支承箇所、  １１  操作レバー、  １２  支承ピン、  １３  操作レバー、  １６  カバー、１７  連結部材、  １８  調節レバー、  １９  ピストンロッド、  ２１  作業シリンダ、  ２３，２４，２５，２６，２７，２８，２９  送りローラ
【図１】
0004176842.tif 000002
【図２】
0004176842.tif 000003
【図３】
0004176842.tif 000004